(57)【特許請求の範囲】
【請求項１】
２つの非再充電可能バッテリー（９）もしくは再充電可能バッテリーまたはバッテリーパックを保持するための少なくとも１つのバッテリースロット（２）を有するバッテリー駆動デバイス（１）であって、該バッテリースロットは、該バッテリースロットに接続されたデバイス調節電子機器（４）であって、電圧に基づいて、該バッテリースロットに挿入された該非再充電可能バッテリー（９）もしくは再充電可能バッテリーまたはバッテリーパックの充電の状態を決定および表示するためのデバイス調節電子機器（４）を有し、該非再充電可能バッテリー（９）もしくは再充電可能バッテリーまたはバッテリーパックの個々の電圧を測定するために使用される接触部（８）が該バッテリースロット（２）に接続されており、それによって、調節電子機器（２６）を有するバッテリーパック（１０）の使用の間に、該接触部（８）を介して該バッテリーパック（１０）の該調節電子機器（２６）と該バッテリー駆動デバイス（１）との間でのデータ転送が起こり、
該バッテリースロット（２）に加えて、該バッテリー駆動デバイス（１）は、充電器調節電子機器（６）を有する充電器（３）に接続するための更なる接続ユニット（２５）を有し、該接触部（８）は、接続ライン（１１）を用いてラインレギュレーション（５）の第１の端子に接続され、該ラインレギュレーション（５）の第２の端子は、該デバイス調節電子機器（４）に接続され、該ラインレギュレーション（５）は、バッテリー駆動デバイス（１）と充電器（３）との間の接続が確立された場合に、該第１の端子と該第２の端子との間の接続を中断するスイッチ（ＳＷ１）を含む、バッテリー駆動デバイス。
【請求項２】
前記充電器調節電子機器（６）および前記デバイス調節電子機器（４）が、直接接続（１２）を用いて、前記更なる接続ユニット（２５）を用いて互いに直接接続することを特徴とする、請求項１に記載のバッテリー駆動デバイス。
【請求項３】
駆動ユニット（２３）が、前記直接接続（１２）に接続され、前記デバイスが前記充電器（３）に係合したときに該デバイス（１）をアクティベートするために電力信号を提供することを特徴とする、請求項２に記載のバッテリー駆動デバイス。
【請求項４】
スイッチ（ＳＷ２）をさらに備え、該スイッチ（ＳＷ２）は、該スイッチ（ＳＷ２）の第１の端子に接続されたデータライン（１７）と、該スイッチ（ＳＷ２）の第２の端子に接続されたプルアップレジスタ（１４）とを有し、該スイッチは、バッテリー駆動デバイス（１）と充電器（３）との間の接続が確立された場合に、該第１の端子を該第２の端子に接続する、請求項１〜３のいずれか１項に記載のバッテリー駆動デバイス。
【請求項５】
請求項１〜４のいずれか１項に記載のバッテリー駆動デバイスとともに使用されるバッテリーパックであって、該バッテリーパックが、２つの再充電可能バッテリーを含み、該バッテリーパック（１０）の該２つの再充電可能バッテリーの間にヒューズ（２９）が提供されることを特徴とする、バッテリーパック。
【発明の詳細な説明】
【技術分野】
【０００１】
本発明は、少なくとも２つの通常のバッテリーまたは再充電可能バッテリー（蓄電池）と共に動作するバッテリー駆動デバイスに関し、このバッテリー駆動デバイスは、それぞれ、そのバッテリーまたは再充電可能バッテリーの充電状態を決定し、最終的には表示し、そして／またはそれらの状態を記憶するデバイスを有し、そのデバイスのバッテリーシャフトにおいて、上記のバッテリーまたは蓄電池の個々の電圧を測定するために使用される中心接触部が提供される。それらによって、調節電子機器を有するバッテリーパックの使用の間に、データ転送が、中心接触部を介して、バッテリー駆動デバイスにおいて生じる。
【背景技術】
【０００２】
このようなデバイスは、特許文献１により知られており、通常の電池が、そのバッテリーパックと同じスロットに適合する場合に、維持される。このデバイスにおいて解決されるべき問題は、「インテリジェント」バッテリーパックに加え、２つの異なる「通常のバッテリー」が存在し、そして、そのデバイスによって識別させるべきであるということである。接続の他の可能性は開示されていない。
【０００３】
さらなるデバイスが、特許文献２に開示され、このデバイスは、言及した特許文献１に記載のデバイスまたは本発明に記載のデバイスと共に使用され得る場合のように、プロセッサーを有するバッテリーパックに関する。安全性の理由により、ヒューズが、そのバッテリーパックの蓄電池のライン中に提供される。
【０００４】
多くのデバイスに、このような電力供給器によって電流が提供される。これらのデバイスとしては、デジタルカメラ、カムコーダー、ディクテーション機器、無線ワイヤレスマクロ、およびさらに多くのものが挙げられる。これらのデバイスの殆どにおいて、その電力供給がどのような状態にあるのかを知ることは、重要であり、また、絶対必要不可欠である。これは、その電力供給器が期待される電力を送達し得るか否かを推定することを可能とするためである。従って、これらの目的を達成するための種々のデバイスおよび方法が、すでに開発されてきた。１つの解決策は、特許文献３（これは、特許文献４に対応する）によるものであり、この内容は、参考文献として本願に含まれる。これは、すでに、公知の解決策であり、その電力供給器の電圧と充電との関係の知識に基づき、通常のバッテリーにおいて機能しているが、常に、完全に異なる型および量の充電可能電池（所謂、蓄電池）に起因して問題に至る。なぜならば、このような関係は、十分な信頼性をもって知られていないか、または、このような電力供給器については予測可能ではないからである。
【０００５】
バッテリーに加え、所謂、バッテリーパックが存在する。このバッテリーパックは、その名称とは対照的に、通常のバッテリーを有さないが、少なくとも１個の（一般的には、２個以上の）再充電可能バッテリーを有しており、そして、このバッテリーパックはまた、これらを用いて、種々の動作パラメータがモニタリングされそして記憶される電子回路を有しており、この電子回路において、これらのデータは、そのバッテリーパックおよびそのデバイスに対する特別な接触によって問い合わされ得、従って、特別に設計されたバッテリーシャフトを必要とする。
【０００６】
特別な充電デバイス、所謂、充電器はまた、バッテリー駆動デバイスの殆どの場合において存在し、ここで、この充電器は、バッテリーパックの蓄電池が見出されるバッテリー駆動デバイスに接続されるか、そのデバイスから着脱される蓄電池またはバッテリーパックに挿入される。数個のバッテリーパックまたは蓄電池が挿入され得るデバイスもまた、存在し（従って、このような区別が必要である場合のみに、この区別はなされる）、そして、充電器中に挿入された蓄電池、ならびにその充電器に接続されたデバイスに位置づけられる蓄電池を同時に充電し得る充電器がまた、存在する。様々な方法で、充電器の挿入の間または、充電器とそのデバイスとの間に挿入された状態において、バッテリーパックなどの状態に関するデータ交換が生じる。最後に、そのデバイスが電力供給を得るためのライン電圧デバイス（ｌｉｎｅ  ｖｏｌｔａｇｅ  ｄｅｖｉｃｅ）としての役割を果たし得る充電器が存在する。本発明はまた、これらの型の全ての充電器に関する。
【特許文献１】ＥＰ０  ７８６  ８２１Ａ
【特許文献２】ＵＳ５  ６４６  ５０８Ａ
【特許文献３】ＡＴ４０８  ２８０Ｂ
【特許文献４】ＵＳ６，３４４，７３０Ａ
【発明の開示】
【発明が解決しようとする課題】
【０００７】
これらの最新の電力供給およびそれらのモニタリングおよび再充電によって、そのバッテリーパックとその充電器、および必要に応じてバッテリーパックが見出されるデバイスとの間で情報が交換されるということが、必要不可欠なものとする。ここで、バッテリーパックが見出されるデバイスは、通常は、追加ラインおよび異なるバスシステムの使用によって通常は達成される。一連のこの応用において、特に、無線マイクロホンにおいて、このようなデバイスの電磁気学的インターフェースに関する、立法措置、規格、または消費者要求のいずれかからによる、極めて厳しい要請が、現在、存在する。この使用されたバスシステムは、それらの側面（ｆｌａｎｋ）特性に起因して、比較的高い干渉放射性を有し、そして、言及したように、これは、多くの応用面において問題を保持する。別の問題は、バッテリーパックとそのデバイスとの間の更なる接触に対する必要性である。なぜならば、そのバッテリーシャフト領域における開口は、可能であるならば、回避されなければならず、それは、そのバッテリーの不具合および過電圧または低電圧（または、ＥＳＤ）に対する電気的な保護のためであり；さらなるラインは、余分なコストのみでなく、バッテリーシャフトにおけるさらなる接触およびさらなる開口に起因する一定の問題点である。
【０００８】
２個のバッテリーまたは蓄電池を有して規定されるこの型のデバイスは、従来技術において公知であり；本来的に、より多くのバッテリーまたは蓄電池を提供することが可能であり、ここで、対応する中心接触部が、対として提供される必要である。本発明は、同様にこのような配置にとっても利用可能であると考えられる。
【０００９】
本発明は、充電器または挿入されたバッテリーまたは蓄電池さえも有する外部電力供給器に接続可能であり、かつこのような条件の下でもデータを交換し得る上述したような型のデバイスを求めるものである。さらに、好ましい実施形態において、本発明は、乾電池または再充電可能バッテリーに関する場合などにおける必要性を避けるべきであり、そして、上述したような問題を有さないべきであり、そして、種々の動作条件の下でそのタスクを充足すべきである。
【課題を解決するための手段】
【００１０】
１つの局面において、本発明によって、２個のバッテリーまたは蓄電池のための少なくとも１つのバッテリーシャフト（２）を有するバッテリー駆動デバイス（１）であって、このデバイスは、そのバッテリーシャフトに挿入されたバッテリー（９）または蓄電池の充電の状態を決定および表示するためのデバイス調節電子機器（４）を有し、ここで、バッテリーシャフト（２）において中心接触部（８）が提供され、その中心接触部は、バッテリー（９）または蓄電池の個々の電圧を測定するために使用され、それによって、調節電子機器（２６）を有するバッテリーパック（１０）の使用の間に、データ転送が、中心接触部（８）を介してそのバッテリー駆動デバイス（１０）に対して起こる、バッテリー駆動デバイスであって、そのバッテリー駆動デバイスは、そのバッテリーシャフト（２）に加えて、そのバッテリー駆動デバイスが、充電器調節電子機器（６）を有する充電器（３）に接続するための更なる接続ユニット（２５）を有すること、さらに、その中心接触部（８）が、ラインを介してそのデバイス調節電子機器に接続されていること、すなわち、中心接続（１１）およびラインレギュレーション（５）；ならびに、スイッチ（ＳＷ１）は、バッテリー駆動デバイス（１）および充電器（３）の間の接続が確立された場合に、中心接続（１１）を中断すること、において特徴付けられる、バッテリー駆動デバイスが提供する。
【００１１】
１つの実施形態において、本発明によって、上記さらなる接続ユニット（２５）が、上記充電器調節電子機器（６）と上記デバイス調節電子機器（４）との間のコマンド接続（１２）を生じることを特徴とする、バッテリー駆動デバイスが提供される。
【００１２】
別の実施形態において、本発明によって、上記コマンド接続（１２）が、駆動ユニット（２３）を有し、その駆動ユニット（２３）を通して、そのデバイス（１）は、上記充電器（３）によって連動され得る、バッテリー駆動デバイスが提供される。
【００１３】
さらに別の実施形態において、本発明によって、バッテリー駆動デバイス（１）と充電器（３）との間の接続が確立された場合に、スイッチ（ＳＷ２）が、データライン（１７）とプルアップレジスタ（１４）を接続することを特徴とする、バッテリー駆動デバイスが提供される。
【００１４】
なおさらなる実施形態において、本発明によって、上記バッテリーシャフト（２）が、ケースまたはハウジングを用いることなく、２つバッテリー（例えば、所謂、乾電池）のいずれかを、挿入することを可能にする形態およびサイズを有することを特徴とする、バッテリー駆動デバイスが提供される。
【００１５】
なおさらなる実施形態において、本発明によって、バッテリー駆動デバイスとヒューズとともに使用されるバッテリーパックであって、そのヒューズ（２９）が、上記バッテリーパック（１０）の２つの蓄電池の間に提供される、バッテリーパックが提供される。
【００１６】
本発明は、２個のバッテリー（９）または蓄電池のための少なくとも１つのバッテリーシャフト（２）を有するバッテリー駆動デバイス（１）に関し、このデバイスは、バッテリーシャフトに挿入されたバッテリー（９）または蓄電池の充電の状態を決定および表示するためのデバイス調節電子機器（４）を有し、ここで、バッテリーシャフト（２）において中心接触部（８）が提供され、この中心接触部は、バッテリー（９）または蓄電池の個々の電圧を測定するために使用され、それによって、調節電子機器（２６）を有するバッテリーパック（１０）の使用の間に、データ転送が、中心接触部（８）を介して該バッテリー駆動デバイス（１０）に対して起こる、バッテリー駆動デバイスである。
【００１７】
本発明は、該バッテリーシャフト（２）に加えて、該バッテリー駆動デバイスが、充電器調節電子機器（６）を有する充電器（３）に接続するための更なる接続ユニット（２５）を有すること、さらに、該中心接触部（８）が、ラインを介して該デバイス調節電子機器（４）に接続されていること、すなわち、中心接続（１１）およびラインレギュレーション（５）；ならびにスイッチ（ＳＷ１）は、バッテリー駆動デバイス）（１）および充電器（３）の間の接続が確立された場合に、中心接続（１１）を中断すること、
において特徴付けられる。
【００１８】
本発明に従って、そのバッテリーシャフトに加え、そのデバイスは、充電器調節電子機器を有する充電器との接続のためのさらなる接続ユニットを有し、そして、さらに、その中心接触がデバイス調節電子機器にラインを介して接続されること（中心接続と呼ばれる）、および、ラインレギュレーション、ならびに、バッテリー駆動デバイスと充電器との間の接続が確立されたときに、スイッチが中心接続を中断することが提案される。
【００１９】
この様式において、この中心接触は、通常のバッテリーを使用する場合における電圧測定のためだけではなく、バッテリーパックが使用されるときデータ転送のために使用され、その目的のために、僅かな変化または付加のみが、バッテリー駆動デバイスの電子回路において必要とされる、この変化または付加は、以下の記載から明確である。達成された空間利得（ｓｐａｃｅ  ｇａｉｎ）およびさらなるケーブルおよびさらなる接触の回避が、このようなデバイスにおける異なる電力供給の有用性に関して極めて有利である。
【００２０】
特別の実施形態において、このバッテリーシャフトは、２つの通常のバッテリー（乾電池）または再充電可能バッテリー挿入のための形状およびサイズを有している。このデバイスと共に使用されるバッテリーパックは、それと同じ形状を有するか、代替として、バッテリースロッに対して適合する。バッテリーパックは、そのスロットから伸長し、より大きな耐性および格納収容力を与えることが可能である。
【００２１】
結果として、２個のバッテリーまたは蓄電池および１個のバッテリーパックまたはバッテリーシャフトのみが、言及されるが、通常、複数のこの配置が可能であり、そして、本発明の知見を得た当業者によって、対応する空間利用性および対応する電力供給の需要に関して容易に考案され得る。上記の記述方法は、理解を容易にすることのみのための以下の記載において、使用される。
【００２２】
本発明は、図面を参照して、さらに以下のように記載され、これらの図面は、本発明の実際の例を模式的に示す。
【００２３】
これらの図面において、アナログ信号または電力を伝送するためのラインは、断続線で示され、デジタル信号を伝送するように設計されるラインは、点線であり、そして、両方の型の信号を伝送するのに使用されるラインは、連続線として示される。
【００２４】
図１は、本発明に従ったバッテリー駆動デバイス１のブロック図を単に示すのみであり、ここで、このバッテリー駆動デバイスは、バッテリーシャフト２および附属の充電器３を有する。上述したように、通常のバッテリー、蓄電池（再充電可能バッテリー）、または所謂、バッテリーパックが、バッテリーシャフト２に挿入され得る。このデバイス１は、調節電子機器（ｃｏｎｔｒｏｌ  ａｎｄ  ｒｅｇｕｌａｔｉｏｎ  ｅｌｅｃｔｒｏｎｉｃｓ）４を有し、この調節電子機器４は、所謂ラインレギュレーション５を有するが、これは、それ自体の一部分として描かれている。
【００２５】
充電器３は、電流また電源７を制御または調節する電子制御回路（ｅｌｅｃｔｒｏｎｉｃ  ｃｏｎｔｒｏｌ  ａｎｄ  ｒｅｇｕｌａｔｉｏｎ  ｃｉｒｃｕｉｔ）６を有する。この充電器３はまた、通常は、バッテリースリット２’を有し、このスリットは、通常は、バッテリースリットまたはバッテリーシャフト２に対応する形状をした挿入サイズを有する。
【００２６】
この充電器３は、任意の接触接続を介してデバイス１に接続可能であるかまたはそれらに接続しており、この接続によって、バッテリーシャフト２に対する充電電流の供給および充電器３の調節電子機器６とこのデバイス１の調節電子機器４との間のデータ交換を可能にする。このようなデータ交換は、上述したように、従来技術の充電器としてすでに公知であるが、本発明に従うバッテリーパックとして中心接触の使用を併用することは公知でない。
【００２７】
このデバイス１は、それ自体の電流消費部分を有している（ここで、この電流消費部分は、明瞭さのために、この場合において示されていない）。これは、カメラ、マイクロホン、ヘッドセット、ディクテーション機器などであり得る。バッテリー駆動デバイスに対する多くの応用は、大きく、そして、いまだ、増大している。
【００２８】
図１はまた、本発明に必須のデバイス１および充電器３のラインおよび構成要素を、純粋に模式的に示す：デバイス１のバッテリー部分２から説明を始める。接地に対して負極の接続および正極からデバイス調節電子機器４へのバッテリーのエネルギーを伝導させる接続が存在する。図１に示される動作状態において、制御された電流供給源７、充電器３の調節電子機器６、および充電器３のバッテリースリット２’の正極に対する接続がまた、存在する。バッテリーの電圧、蓄電池の電圧、またはバッテリーパックの電圧がまた、その接続を介してモニタリングされる。示された状態（接続されたバッテリー駆動デバイス１を伴う充電器３）において、充電器のバッテリースリット２’へのバッテリーパックの挿入が、機械的ブロックデバイスによって防止され、そして、逆に、それによって可能とされ、その結果、異なった処理が必要とされ得る２個のバッテリーパックが、同時に接触され得ない。他の解決策は、本来的に、本発明の知見を得ると当業者にとって容易に考案されるものである。
【００２９】
中心接触部８の間における電気的な接触がまた、存在し、ここで、これは、個々のバッテリーまたは蓄電池を使用する可能性に起因して、二重の接触として示されるが、ガルヴァーニ電気的には、単極接触に対応し、そして、このラインレギュレーション５は、デバイス調節電子機器４によって制御されるが、空間的には、本来的に、その一部分であり得る。中心接触部１１と呼称される、ライン（ｌｉｎｅ）は、優勢な（ｐｒｅｖａｉｌｉｎｇ）動作状態に依存して、デジタル信号またはアナログ信号のいずれかを伝送し、従って、実線として示される。
【００３０】
データのみを伝送するデジタル接続は、ラインレギュレーション５、充電器調節電子機器６、および充電器２の中心接触部８’の間に存在する。最後に、この示した実施例（これは、好ましい改変を示す）において、充電器調節電子機器６とデバイス調節電子機器４との間に直接的な接続もまた存在する（コマンド接続１２または「デバイススタート（ｄｅｖｉｃｅ  ｓｔａｒｔ）」と呼称される）。この様式において、充電器調節電子機器６がデバイス調節電子機器４に、そのデバイスが充電器に挿入された（またはそれに充電器に接続された）こと、次いで、そのデバイスが、充電器から連動されたか、またはデバイス１の動作型が適合されたことを知らせることが可能になる。
【００３１】
「デバイス調節電子機器」および「充電器調節電子機器」との用語が、詳細な説明および特許請求の範囲において使用されるが、少なくとも、いくつかの動作において、調節モードよりも制御モード（ｃｏｎｔｒｏｌ  ｍｏｄｅ）が存在し、この語句は、理解を容易にするために導入され、技術的または他の制限の形式を示すものではない。
【００３２】
図２〜図６の各々は、以下のように簡潔に説明されるが、その個々の配置の機能および対応する動作状態についてのみを後述する：
図２は、図１よりも幾分詳細であるが、なお模式的に、バッテリーシャフト２におけるバッテリー９（２個の電池）のデバイス１を示す。中心電圧は、スイッチＳＷ１（このＳＷ１は、ラインレギュレーション５の一部分である）を介し、ライン１７を介してデバイス調節電子機器４に供給される。スイッチＳＷ２（これもまた、ラインレギュレーション５の一部分である）は、コンデンサー１３（これは、ＡＤＣに対するバッファとしての役割を果たす）に接続されている。さらに、プルアップレジスタ１４（これは、データインターフェースにとって必要である）は、ＡＤＣ測定のひずみを避けるためにスイッチがオフにされる。充電器３に対する接続部２５の接触は、この配置においては、通常、開いている。
【００３３】
バッテリー９（２個の電池）が挿入されているので、０．５Ｖ〜２Ｖの間にある中心電圧が得られ、その結果、「バッテリー動作状態」が、確認される。
【００３４】
図３は、バッテリーパック１０が挿入された状況を示す。この状況は、このバッテリーパック１０が０．５Ｖ未満の低い中心電圧によって、デバイス調節電子機器４によって検出される。その結果、中心ライン１１を介してデジタルデータが流れることが可能となる。充電−調節−ＯＮＥ−ワイヤ−インターフェース（ｃｈａｒｇｅ−ｒｅｇｕｌａｔｉｏｎ−ＯＮＥ−ｗｉｒｅ−ｉｎｔｅｒｆａｃｅ）のデータ信号が、中心接触おいて存在し、これは、ライン１７を介するデバイス調節電子機器４によってＳＷ１を介することによりスイッチされる。ＳＷ２は、プルアップレジスタ１４のスイッチをオンにし、これによって、高いレベルのオープンコレクターバスシステム（ｏｐｅｎ−ｃｏｌｌｅｃｔｏｒ−ｂｕｓ  ｓｙｓｔｅｍ）をつくりだす。ＡＤＣに対するバッファとしての役割を果たすコンデンサー１３は、スイッチがオフとなり、その結果、データプロトコルを遅延させない。プルダウンレジスタ１６が、バッテリーパック１０において提供される。このことは、デバイス１によって測定される中心電圧が、０．５Ｖ未満であり、そして、規定された状態（ｄｅｆｉｎｅｄ  ｓｔａｔｅ）が、バッテリーパックにおいて優勢となる（ｐｒｅｖａｉｌ）ことを意味する。バッテリーパック１０において見出される調節電子機器２６は、スレーブモードで機能し、そして、クエリに対してのみ作動する。バッテリーパック１０は、バッテリーパックの２個の蓄電池の間に好ましくは位置づけられるヒューズ２９による短絡の影響から保護される。
【００３５】
図４は、バッテリーパック１０が挿入され、充電器３がサスペンドされた状況を示す。すなわち、充電器３が追加的に接続されていることを除いて、図３の構成と同一である。デバイス１におけるラインデバイススタート１２で電圧の急に上がること（ｖｏｌｔａｇｅ  ｉｎｃｕｒｓｉｏｎ）が、デバイス１のプルダウンレジスタ１５および充電器３におけるプルアップレジスタ２７によって生じ、これは、充電器３、例えば、内部ＡＤＣによって確認される。このことは、デバイス１が、電力ユニット２３を介してアクティブＨＩＧＨレベルによって遠隔起動（ｒｅｍｏｔｅ−ｓｔａｒｔ）されることを意味する。これは、以下でさらに説明する。プルアップレジスタ２８は、この動作モードでは関係ない。その機能は、図６を参照して後に記載される。
【００３６】
図５は、バッテリーシャフト２に挿入されたバッテリー９および「データインターフェース」として充電器３を有する動作状態を示し、これは、中心電圧およびラインデバイススタート（ｄｅｖｉｃｅ  ｓｔａｒｔ）１２における電圧を測定することによって、デバイス調節電子機器により達成される。このスターティング手順（ｓｔａｒｔｉｎｇ  ｐｒｏｃｅｄｕｒｅ）は、図４を参照して上記で与えられたものと同じである。この中心電圧は、充電器３の中心接触部のデータライン１７から、ＳＷ１によってスイッチがオフにされる。デバイス１と充電器３との間において、障害のないデータ交換がこのライン上で行われる。ＳＷ２は、プルアップレジスタ１４のスイッチをオンにし、その結果、オープンコレクターバスシステムが、ＨＩＧＨレベルまで、切り換わる。このコンデンサー１３は、上で説明したように、ＡＤＣに対するバッファとしての役割を果たし、そして、それによって生じるデータプロトコルの遅延を回避するようにスイッチがオフにされる。
【００３７】
図６は、バッテリーシャフト２’に挿入されたバッテリーパック１０を有する充電器３を示す。調節電子機器６の充電器は、ライン上の電圧の変化である「チャージプラス（ｃｈａｒｇｅ  ｐｌｕｓ）」２２’によって、バッテリーパック１０の接触を認識する。デバイス１は接触されていないので、そのプルアップレジスタ１４は、消失し、その理由によって、プルダウンレジスタ２８が、データライン１７’において提供され、これは、他の型の動作状態と干渉しない。このラインデバイススタート１２’は、接触されない。
【００３８】
本発明にとって重要な個々の動作パラメータは、ここでは、連動している間はデバイス１によってチェックされ、その後、周期的な様式で、充電器が接続されている否かを決定する。他の動作パラメータ（例えば、作動していないバッテリー９、空のバッテリーシャフト２などである）は、従来技術に従う通常の様式でチェックされ、そして、本明細書におけるさらなる説明を必要としない。チェック工程の間において、以下のものが生じる。
【００３９】
Ｉ）ラインＤＥＶＩＣＥ  ＳＴＡＲＴ  １２が、開始時にＬＯＷの場合、コマンドライン２０および２１を介して受信した命令によって、スイッチＳＷ１は閉じられ、かつ、ＳＷ２がコンデンサー１３に接続される。そのデバイスは、中心電圧ライン１１において中心電圧を測定し、そして、その測定結果の関数として作動する．
Ａ）その中心電圧が０．５Ｖ未満である場合、コマンドライン２１は、ＬＯＷで設定され、このバッテリーパックの動作状態（図３）が確認される。このあとに、「バッテリー駆動デバイス」１と「バッテリーパック」１０との間のデータプロトコルを伴う開始が続く．
Ｂ）その中心電圧が０．５Ｖを超える場合、２個の電池９を用いるバッテリー動作状態が確認され、コマンドライン２１はＨＩＧＨのままであり、これは、図２において例示されるような状況である。その後に、例えば、特許文献３（特許文献４）に従って、バッテリー電圧を介する残り時間の評価が続く．
ＩＩ）ラインＤＥＶＩＣＥ  ＳＴＡＲＴ  １２が、開始時にＨＩＧＨの場合、コマンドライン２０および２１を介して、スイッチＳＷ１が閉じられ、そしてスイッチＳＷ２が、コンデンサー１３に接続される。このデバイスが中心電圧を測定し、そして、その測定結果の関数として作動する．
Ａ）その中心電圧が２Ｖを超える場合、スイッチＳＷ２は、コマンドライン２１によって、プルアップレジスタ１４に接続され、充電器を有するバッテリーパックの動作状態（図４）が、確認される．次いで、この充電器３が、そのマスター関数を支配し、その「バッテリー駆動デバイス」１は、スレーブモードへとスイッチが切り換わり、充電器３からのコマンドを待つ．
Ｂ）その中心電圧が２Ｖ未満である場合、コマンドライン２１によって、２個の電池９および充電器３を有するバッテリー動作状態が確認される。スイッチＳＷ２は、プルアップレジスタ１４に接続され、コマンドライン２０によって、スイッチＳＷ１が開かれ、その状況は、図５において与えられる。従って、この充電器と「バッテリー駆動デバイス」との間のデータラインは、その中心接触部からは分離され、その結果、障害のないデータ交換がこの２つのデバイスの間で生じ得る。この充電器は、そのマスター関数を支配し、その「バッテリー駆動デバイス」は、スレーブモードに変化し、充電器からのコマンドを待つ．
ＩＩＩ）ライン  ＤＥＶＩＣＥ  ＳＴＡＲＴ  １２が、動作中にＨＩＧＨ状態に達する場合、その動作の型に応じて、それは、それぞれ、（Ｉ−Ａ）から（ＩＩ−Ａ）に切り換わるか、または、（Ｉ−Ｂ）から（ＩＩ−Ｂ）に切り換わる．
言及した限界電圧（これを介して、個々の状況が確認かつ考慮される）が、調節電子機器４および６ならびに漏れ電流の閾値を考慮して、レジスタを対応した必要な大きさにすることによって決定または確立され得る。このプルアップレジスタに関して１００ｋΩ未満の値、プルダウンレジスタに関して１００ｋΩを超える値、ならびに全シリーズのレジスタに関して１０ｋΩ未満の値が、２ｍｓ／ｂｉｔより速い伝送速度時に選択されるべきである。迅速なデータ伝送が求められる場合、この抵抗は言及されたものよりも小さくされるべきである。
【００４０】
以下のラインの規定は、これらの型の動作の確認および実行の両方を行うために維持されるべきである：
バッテリー駆動デバイス１において：
ライン２２のポートは、ＡＤＣ入力でなければならない；これは、挿入されたバッテリー−蓄電池−バッテリーパックの総電圧を測定する。
【００４１】
この中心電圧ライン１７のポート（図１）は、ＯＵＴＰＵＴ  ＬＯＷと、ＩＮＰＵＴとＡＤＣ  ＭＥＡＳＵＲＥＭＥＮＴとの間で切り換え可能であるべきである。なぜなら、一方で、その中心電力を測定するために使用され、そして、他方で、バッテリーパック１０または充電器３に対するインターフェースとして使用されるからである。
【００４２】
このコマンドライン２１のポートは、ＯＵＴＰＵＴ  ＬＯＷとＯＵＴＰＵＴ  ＨＩＧＨとの間で切り換え可能でなければならず、従って、バッテリー９の動作状態とバッテリーパック１０の動作状態との間で切り換え可能でなければならない。
【００４３】
コマンドライン２０のポートは、ＯＵＴＰＵＴ  ＬＯＷとＯＵＴＰＵＴ  ＨＩＧＨとの間で切り換え可能でなければならない。この結果、バッテリー中心接触部８に対するライン（図１）が、必要に応じて、分離される。その結果、デバイス１と充電器３との間の通信がまた、挿入されたバッテリーに関して可能になる。
【００４４】
ラインＤＥＶＩＣＥ  ＳＴＡＲＴ（コマンド接続）１２のポートは、充電器３による可能な遠隔起動を確認するために、ＩＮＰＵＴに切り換え可能でなければならない。
【００４５】
バッテリーパック１０において：
ラインＤＡＴＡ２４（図６）のポートは、バッテリーパック１０におけるＯＵＴＰＵＴ  ＬＯＷとＩＮＰＵＴとの間で切り換え可能でなければならい。
【００４６】
充電器３において：
ラインＤＡＴＡ１７のポートは、ＯＵＴＰＵＴ  ＬＯＷとＩＮＰＵＴとの間で切り換え可能でなければならない。
【００４７】
ＤＥＶＩＣＥ  ＳＴＡＲＴ（コマンド接続）１２’のポートは、ＯＵＴＰＵＴ  ＨＩＧＨと、ＯＵＴＰＵＴ  ＬＯＷと、ＡＤＣ  ＭＥＡＳＵＲＥＭＥＮＴとの間で切り換え可能でなければならない。
【００４８】
ライン「ＣＨＲＡＧＥ  ＰＬＵＳ”２２」のポートは、ＡＤＣインプットでなければならない；これは、それぞれ、挿入されたバッテリー、蓄電池またはバッテリーパックの総電圧を測定する。
【００４９】
スイッチＳＷ１は、ＣＭＯＳ−スイッチ、すなわち、作動アナログ（ｗｏｒｋｉｎｇ  ａｎａｌｏｇ）であって、デバイス調節電子機器の保護ダイオードを介して、スイッチがオフにされる（デバイス調節電子機器は、供給されていない）ときに、バッテリーを空にしてしまうことを防ぐ。このスイッチがオフにされた状態で全電圧を供給することによって、この保護ダイオードはアクティブにならない。標準の、アクティブ適用の間に、ＳＷ１の供給電圧は、作動電圧になる。
【００５０】
ＳＷ２は、バッテリーモードにおいて、コンデンサー１３（このコンデンサー１３は、デバイス調節電子機器におけるＡＤＣにとってのバッファとして必要とされる）を追加し、そして、バッテリーパックモードにおいて、その回路にプルアップレジスタ１４（このプルアップレジスタは、バスシステムとって必要とされる）を追加するアナログＣＭＯＳマルチプレクサーである。
【００５１】
オン・オフ回路（ＯＮ／ＯＦＦ−ＣＩＣＵＩＴ）は、充電器３によって信号ラインＤＥＶＩＣＥ  ＳＴＡＲＴがＨＩＧＨに移されるときに、デバイス１のスイッチをオンにする。これは、ｐ−チャネル−ＭＯＳＦＥＴを介するスイッチ切り換えをするｎｐｎトランジスタによって達成され得る。
【００５２】
形状は、図面に示されていない。但し、バッテリースロット２は、いずれのケースもハウジングも有さない２つのバッテリー（例えば、所謂、乾電池）を挿入することを可能にする形状（形およびサイズ）を有する。このことによって、ずっと過酷な条件および新たな場所でさえも、このデバイスを使用することが容易となる。なぜならば、このような乾電池は、いずれの場所においても利用可能であるからである。論理的に、このデバイスと一緒に使用されることが予定されているバッテリーパックは、少なくとも部分的に、同一の形状およびサイズを有しており、これらは、そのバッテリースロットに挿入される。不利益を受けることなしに、このデバイスから突出するバッテリーパックを使用することが、多くの用途にとって可能である。
【００５３】
さらなる接続ユニット２５は、必ずしも必要でないが、好ましくは、バッテリースロット２と同じ形状を有しており、このことによって、そのデバイス、バッテリーパックおよび充電器を製造する間に使用されるモールドの数を低減する。
【図面の簡単な説明】
【００５４】
【図１】図１は、一般的なブロック図を示す。
【図２】図２は、本発明に記載のバッテリー駆動デバイスに関する異なる４つの動作状態のうちの１つを示す。
【図３】図３は、本発明に記載のバッテリー駆動デバイスに関する異なる４つの動作状態のうちの１つを示す。
【図４】図４は、本発明に記載のバッテリー駆動デバイスに関する異なる４つの動作状態のうちの１つを示す。
【図５】図５は、本発明に記載のバッテリー駆動デバイスに関する異なる４つの動作状態のうちの１つを示す。
【図６】図６は、バッテリーパックが挿入された充電器の状況を示す。
【図１】
0004842531.tif 000002
【図２】
0004842531.tif 000003
【図３】
0004842531.tif 000004
【図４】
0004842531.tif 000005
【図５】
0004842531.tif 000006
【図６】
0004842531.tif 000007